(57)【要約】【課題】輝度ムラの抑制が図られた光源モジュールおよび電子機器を提供する。【解決手段】光源モジュールは、第１主表面１４０と、第１主表面１４０の周縁部に位置する周面と、第１主表面１４０と対向するように配置された第２主表面１４１とを含む導光板１３０を備える。光源モジュールは、導光板１３０の周面に向けて光を照射する光源と、導光板１３０の第２主表面１４１に配置された反射シートとを備える。上記周面は、光源が配置された光入射面と、光入射面の一方の端部に接続された第１側面と、光入射面の他方の端部に接続された第２側面とを含む。上記導光板１３０の第１側面と隣り合う位置には、第１側面から放射されるの光を第１側面に向けて反射可能な第１反射部１８２が設けられる。上記導光板１３０の第２側面と隣り合う位置には、第２側面からの光を第２側面に向けて反射可能な第２反射部１８４が設けられる。【選択図】図１１
2012054041.tif 000002
【特許請求の範囲】
【請求項１】
第１主表面と、前記第１主表面の周縁部に位置する周面と、前記第１主表面と対向するように配置された第２主表面とを含む導光板と、
前記周面に向けて光を照射する光源と、
前記導光板の前記第２主表面に配置された反射シートと、
を備え、
前記周面は、前記光源が配置された光入射面と、前記光入射面の一方の端部に接続された第１側面と、前記光入射面の他方の端部に接続された第２側面とを含み、
前記導光板は、前記第１側面側から前記第２側面側に向かう方向に間隔をあけて配列する複数の導光体を含み、
前記導光板の前記第１側面と隣り合う位置には、前記第１側面から放射されるの光を前記第１側面に向けて反射可能な第１反射部が設けられ、
前記導光板の前記第２側面と隣り合う位置には、前記第２側面からの光を前記第２側面に向けて反射可能な第２反射部が設けられた、光源モジュール。
【請求項２】
前記第１反射部は、前記反射シートのうち、前記第１側面側に位置する部分を折り曲げることで形成され、
前記第２反射部は、前記反射シートのうち、前記第２側面側に位置する部分を折り曲げることで形成された、請求項１に記載の光源モジュール。
【請求項３】
前記反射シートは、前記第２主表面を覆うように形成された主面部を含み、
前記主面部に対する前記第１反射部および前記第２反射部の折り曲げ角度は、４５度以上９０度以下とされた、請求項２に記載の光源モジュール。
【請求項４】
前記反射シートに対して、前記導光板と反対側に設けられたシャーシをさらに備え、
前記反射シートは、前記第１側面側に位置する端辺部に形成され、第２主表面側から第１主表面側に向けて突出するように形成された第１山部と、前記第２側面側に位置する端辺部に形成され、第２主表面側から第１主表面側に向けて突出するように形成された第２山部とを含み、
前記第１山部は、前記第１側面と対向する前記第１反射部と、前記第１反射部から折り返され、前記シャーシによって支持された第１支持部とを含み、
前記第２山部は、前記第２側面と対向する前記第２反射部と、前記第２反射部から折り返され、前記シャーシによって支持された第２支持部とを含む、請求項２または請求項３に記載の光源モジュール。
【請求項５】
前記導光体は、長手方向に垂直な断面において、幅方向の中央部に形成された主部と、前記主部の両側面から張り出すように形成された張出部とを含み、
前記第１反射部と前記第１側面との間の距離と、前記第２反射部と前記第２側面との間の距離とは、隣り合う前記導光体の前記主部間の距離の半分の距離よりも小さい、請求項１から請求項４のいずれかに記載の光源モジュール。
【請求項６】
前記導光体は、長手方向に垂直な断面において、幅方向の中央部に形成された主部と、前記主部の両側面から張り出すように形成された張出部とを含み、
前記第１反射部と前記第１側面との間の距離と、前記第２反射部と前記第２側面との間の距離とは、隣り合う前記導光体の前記張出部間の距離よりも小さい、請求項１から請求項４のいずれかに記載の光源モジュール。
【請求項７】
請求項１から請求項６のいずれかに記載の光源モジュールを備えた、電子機器。
【発明の詳細な説明】
【技術分野】
【０００１】
本発明は、光を外部に向けて照射可能な光源モジュールおよびこれを備えた電子機器に関する。
【背景技術】
【０００２】
従来から照明器具や液晶表示装置に搭載されるバックライトのように、光を外部に向けて照射可能な光源モジュールについて各種の提案がなされている。特に、液晶表示装置の普及に伴い、バックライトに関しては、特開２００７−１７３０３５号公報や特開２００９−４３７０６号公報にも提案されているように各種のバックライトが提案されている。バックライトの種類としては、主に、光源を導光板のエッジ部に設けるエッジライト型バックライトと、光源を表示画面の直下に設ける直下型バックライトとがある。
【０００３】
近年、液晶表示装置の薄型化の要望の高まりから、薄型化を図りやすいエッジライト型バックライトが特に着目されている。エッジライト型バックライトは、導光板のエッジ部から入射させた光を、導光板で拡散させて、導光板の一方の主面から出射させる方式である。
【０００４】
エッジライト型バックライトは、導光板と、導光板に形成された光拡散部と、導光板の下面側に配置された反射シートと、導光板の上面に配置された複数の光学シートと、導光板の周面に配置された光源とを備える。光源からの光は、導光板内に入り込み、反射を繰り返すことで導光板内の全体に広がる。導光板内で反射を繰り返す光が光拡散部で反射すると、反射した光の少なくとも一部が導光板から液晶表示パネルに向けて出射される。
【０００５】
近年では、エッジライト型バックライトが採用された液晶表示装置において、残像感の解消を目的として、バックライトブリンキングと称される技術が提案されている。たとえば、特開２００８−３４３７２号公報に記載された液晶表示装置は、一列に配列された複数のブロックを含む導光板と、ブロックごとに設けられ、ブロックに対して光を出射する複数の光源と、導光板の上方に配置された液晶パネルと、光源および液晶パネルの駆動を制御する制御部とを備える。
【０００６】
制御部は、液晶パネルに映像信号を印加すると共に、この印加のタイミングに同期させて光源を順次消灯させ、これにより、疑似インパルス型の表示を行い、残像感の解消が図られている。
【先行技術文献】
【特許文献】
【０００７】
【特許文献１】特開２００７−１７３０３５号公報
【特許文献２】特開２００９−４３７０６号公報
【特許文献３】特開２００８−３４３７２号公報
【発明の概要】
【発明が解決しようとする課題】
【０００８】
導光板が複数のブロックに分割されていないバックライトにおいて、導光板の中央部分に設けられた光拡散部は、導光板内で反射を繰り返すことで達した光源からの光と、上記中央部分と隣接する隣接部分に設けられた光拡散部で拡散され、中央部分に入り込んだ光とを液晶パネルに向けて反射する。
【０００９】
その一方で、導光板の端辺部においては、外側面側から光が入り込まないため、上記中央部分と比較して、入り込む光量が少ない。このため、導光板の端辺部では、他の部分よりも液晶パネルに向けて出射する光が少なくなっている。
【００１０】
導光板が複数の導光体で構成されたバックライトにおいても同様に、中央に位置する導光体は、当該導光体内に入射した光源からの光と、両側に位置する２つの導光体から入り込んだ光とを液晶パネル側に向けて出射する。その一方で、両端に位置する導光体は、当該導光体内に入射した光源からの光と、隣り合う１つの導光体からの光とを液晶パネル側に向けて出射する。このため、両端に位置する導光体から出射される光は、他の導光体から出射される光よりも少なくなる。
【００１１】
導光体は、ある程度の幅を有すると共に、長手方向に長尺に形成されているため、広い領域に亘って、暗い領域が形成される。このように、複数の導光体で導光板を構成したときには、輝度ムラが顕著にあらわれる。
【００１２】
本発明は、上記のような課題に鑑みてなされたものであって、その目的は、輝度ムラの抑制が図られた光源モジュールおよび電子機器を提供することである。
【課題を解決するための手段】
【００１３】
本発明に係る光源モジュールは、第１主表面と、第１主表面の周縁部に位置する周面と、第１主表面と対向するように配置された第２主表面とを含む導光板と、周面に向けて光を照射する光源と、導光板の第２主表面に配置された反射シートとを備える。上記周面は、光源が配置された光入射面と、光入射面の一方の端部に接続された第１側面と、光入射面の他方の端部に接続された第２側面とを含む。上記導光板の第１側面と隣り合う位置には、第１側面から放射されるの光を第１側面に向けて反射可能な第１反射部が設けられる。上記導光板の第２側面と隣り合う位置には、第２側面からの光を第２側面に向けて反射可能な第２反射部が設けられる。
【００１４】
上記導光板は、第１側面側から第２側面側に向かう方向に間隔をあけて配列する複数の導光体を含む。上記第１反射部は、反射シートのうち、第１側面側に位置する部分を折り曲げることで形成される。上記第２反射部は、反射シートのうち、第２側面側に位置する部分を折り曲げることで形成される。好ましくは、上記反射シートは、第２主表面を覆うように形成された主面部を含む。上記主面部に対する第１反射部および第２反射部の折り曲げ角度は、４５度以上９０度以下とされる。
【００１５】
好ましくは、光源モジュールは、上記反射シートに対して、導光板と反対側に設けられたシャーシをさらに備える。上記反射シートは、第１側面側に位置する端辺部に形成され、第２主表面側から第１主表面側に向けて突出するように形成された第１山部と、第２側面側に位置する端辺部に形成され、第２主表面側から第１主表面側に向けて突出するように形成された第２山部とを含む。上記第１山部は、第１側面と対向する第１反射部と、第１反射部から折り返され、シャーシによって支持された第１支持部とを含む。上記第２山部は、第２側面と対向する第２反射部と、第２反射部から折り返され、シャーシによって支持された第２支持部とを含む。
【００１６】
好ましくは、上記導光体は、長手方向に垂直な断面において、幅方向の中央部に形成された主部と、主部の両側面から張り出すように形成された張出部とを含む。上記第１反射部と第１側面との間の距離と、第２反射部と第２側面との間の距離とは、隣り合う導光体の主部間の距離の半分の距離よりも小さい。
【００１７】
好ましくは、上記導光体は、長手方向に垂直な断面において、幅方向の中央部に形成された主部と、主部の両側面から張り出すように形成された張出部とを含み、第１反射部と第１側面との間の距離と、第２反射部と第２側面との間の距離とは、隣り合う導光体の張出部間の距離よりも小さい。
【００１８】
本発明に係る電子機器は、上記光源モジュールを備える。
【発明の効果】
【００１９】
本発明に係る光源モジュールおよび電子機器によれば、輝度ムラの発生を抑制することができる。
【図面の簡単な説明】
【００２０】
【図１】本実施の形態１に係る液晶表示装置１の分解斜視図である。
【図２】導光板１３０および照射ユニット１０３，１０４を模式的に示す平面図である。
【図３】図２に示すＩＩＩ−ＩＩＩ線をとおる液晶表示装置１の断面図である。
【図４】導光体１３１の側面図である。
【図５】図４に示すＶ−Ｖ線における断面図である。
【図６】図５に示すパターン配置面１２１の平面図である。
【図７】図４に示すＶＩＩ−ＶＩＩ線における断面図である。
【図８】図７に示すパターン配置面１２１の平面図である。
【図９】図４に示すＩＸ−ＩＸ線における断面図である。
【図１０】図９に示すパターン配置面１２１の平面図である。
【図１１】図２に示すＸＩ−ＸＩ線における断面図である。
【図１２】山部１８０およびその周囲に位置する構成を示す断面図である。
【図１３】山部１８０および山部１８１を折り曲げる前の状態における反射シート１１０を示す平面図である。
【図１４】液晶表示装置１に搭載されるバックライト１０２を示す断面図である。
【図１５】本実施の形態２に係るバックライト１０２の変形例を示す断面図である。
【図１６】本実施の形態３に係るバックライト１０２の断面図である。
【図１７】反射部１８２と、導光体１３１Ａの張出部１３７との間を示す断面図である。
【図１８】反射部１８２および導光体１３１Ａを示す断面図である。
【図１９】バックライト１０２の変形例を示す断面図である。
【発明を実施するための形態】
【００２１】
本発明に係るバックライトおよび液晶表示装置について、図１から図１９を用いて説明する。なお、以下の実施の形態では同一または相当する部分については同一の参照符号を付し、その説明については繰返さない。また、各実施の形態に示された構成を組合せることは、出願当初から予定されている。
【００２２】
（実施の形態１）
図１を用いて、本実施の形態１に係る液晶表示装置１の概略構成について、説明する。図１に示すように、液晶表示装置１は、ベゼル１００と、シャーシ１０１と、ベゼル１００およびシャーシ１０１の間に挟みこまれた液晶表示パネル１７０およびバックライト１０２と、制御部１６０とを含む。
【００２３】
バックライト１０２は、反射シート１１０と、導光板１３０と、積層シート群１５０と、照射ユニット１０３および照射ユニット１０４とを含み、光源モジュールとして機能する。
【００２４】
導光板１３０は、略直方体形状に形成されており、導光板１３０は、主表面１４０と、主表面１４０の周囲に位置する周面と、主表面１４０と対向する主表面１４１とを含む。導光板１３０の周面は、導光板１３０の長手方向に配列する入射面１４２および入射面１４３を含む。
【００２５】
照射ユニット１０３は、入射面１４２に対向配置され、照射ユニット１０４は、入射面１４３に対向配置されている。
【００２６】
反射シート１１０は、導光板１３０の主表面１４１に配置され、積層シート群１５０は、導光板１３０の主表面１４０に配置される。液晶表示パネル１７０は、積層シート群１５０からみて導光板１３０と反対側に配置される。
【００２７】
導光板１３０は、入射面１４２，１４３から入射された照射ユニット１０３，１０４からの光を、主に、主表面１４０から積層シート群１５０および液晶表示パネル１７０に向けて出射し、主表面１４０は、出射面として機能する。
【００２８】
反射シート１１０は、たとえば、ポリエステルから形成されている。詳しくは、（白色）発泡ＰＥＴ（ポリエチレンテレフタラート (Polyethylene terephthalate)）から形成されており、反射特性を有する。反射シート１１０は、導光板１３０の主表面１４１から出射される光を導光板１３０に向けて反射して、戻す。主表面１４１から導光板１３０の外部に漏れる光を導光板１３０に戻すことで、光の利用効率の向上が図られている。
【００２９】
積層シート群１５０は、拡散シートと複数のプリズムシートとを含む。積層シート群１５０は、導光板１３０からの光の輝度ムラを抑制すると共に、導光板１３０からの光を集光して、液晶表示パネル１７０に向けて出射する。
【００３０】
液晶表示パネル１７０は、アクティブマトリックス基板と、カラーフィルタと、対向基板と、アクティブマトリックス基板および対向基板の間に封入された液晶とを含む。
【００３１】
アクティブマトリックス基板には、複数のＴＦＴ（thin film transistor）素子が形成されている。各ＴＦＴ素子の駆動は、制御部１６０によって制御されており、制御部１６０は、表示する画像データに基づいて、各ＴＦＴ素子のＯＮ／ＯＦＦを切り替える。
【００３２】
そして、液晶表示パネル１７０に積層シート群１５０から光が入射されることで、液晶表示パネル１７０に画像が表示される。なお、ベゼル１００には、液晶表示パネル１７０の表示領域を視認可能なように、窓部が形成されている。
【００３３】
照射ユニット１０３，１０４は、複数のＬＥＤ（Light Emitting Diode）と、このＬＥＤの回路が形成された回路基板とを含む。なお、照射ユニット１０３，１０４としては、ＬＥＤを採用した例に限られず、蛍光管やその他の照射ユニットを採用することができる。
【００３４】
図２を用いて、導光板１３０およびその周囲に位置する照射ユニット１０３，１０４などについて説明する。図２に示すように、導光板１３０は、平面視すると、略長方形形状に形成されており、導光板１３０の周面は、入射面１４２および入射面１４３の間に位置する側面１４４，１４５を含む。
【００３５】
導光板１３０の長手方向に入射面１４２および入射面１４３が配列し、導光板１３０の短手方向に側面１４４および側面１４５が配列している。導光板１３０は、側面１４４から側面１４５に向かう方向に配列する複数の導光体１３１を含む。導光体１３１の間には、隙間が設けられており、導光体１３１の間には空気層が形成されている。
【００３６】
導光体１３１は、導光板１３０の長手方向に配列する単位入射面１３２および単位入射面１３３と、導光板１３０の短手方向に配列する側面１３４および側面１３５と、単位出射面１２０とを含む。導光体１３１の単位出射面１２０が複数配列することで、導光板１３０の主表面１４０が形成される。同様に、単位入射面１３２が複数配列することで、入射面１４２が形成され、単位入射面１３３が複数配列することで、入射面１４３が形成されている。
【００３７】
照射ユニット１０３は、複数のＬＥＤ１０５と、回路が形成された回路基板１０６とを含み、ＬＥＤ１０５は、単位入射面１３２ごとに設けられている。照射ユニット１０４は、複数のＬＥＤ１０７と、回路が形成された回路基板１０８とを含み、ＬＥＤ１０７は、単位入射面１３３ごとに設けられている。
【００３８】
図３を用いて、導光体１３１およびその周囲に位置する構成について説明する。なお、図３は、図２に示すＩＩＩ−ＩＩＩ線を通る液晶表示装置１の断面図である。この図３に示すように、導光体１３１を長手方向に垂直な断面で断面視すると、導光体１３１は、短手方向（幅方向）の中央部に形成された主部１３６と、主部１３６の両側面から張り出すように形成された張出部１３７，１３８とを含む。このため、導光体１３１を、導光体１３１の長手方向に垂直な断面で断面視すると、導光体１３１の断面形状は、逆Ｔ字形状となっている。
【００３９】
導光体１３１の単位出射面１２０と、積層シート群１５０との間には、たとえば、２ｍｍ程度の隙間が設けられている。図４から図１０を用いて、導光体１３１の詳細構成について説明する。図４は、導光体１３１の側面図である。この図４に示すように、導光体１３１は単位入射面１３２側から単位入射面１３３側に向けて長尺に形成されている。導光体１３１の単位入射面１３２から単位入射面１３３までの長手方向の長さは、たとえば、１３５８．５ｍｍである。
【００４０】
導光体１３１は、単位出射面１２０と、単位出射面１２０と対向するパターン配置面１２１とを含み、パターン配置面１２１には、後述する光拡散部が形成されている。単位入射面１３２および単位入射面１３３から導光体１３１内に入り込んだ光源からの光は、単位出射面１２０およびパターン配置面１２１の間と、図３に示す側面１３４および側面１３５の間で全反射を繰り返しながら、導光体１３１内に広がっていく。
【００４１】
その後、パターン配置面１２１に形成された光拡散部に光が入射することで、導光体１３１内を進む光の角度が変わる。そして、光拡散部で拡散した光の少なくとも一部が、単位出射面１２０で全反射せずに、単位出射面１２０から外部に出射される。
【００４２】
図５から図１０を用いて、導光体１３１の構成および導光体１３１のパターン配置面１２１に形成された光拡散部１２５について詳細に説明する。図５は、図４に示すＶ−Ｖ線における断面図である。この図５に示すように、単位出射面１２０には、複数の溝部１２４が形成されている。側面１３４側から側面１３５側に向かう方向（短手方向）の導光体１３１の長さは、たとえば、４０ｍｍ以上１３０ｍｍ程度である。
【００４３】
主部１３６の厚さは、たとえば、４ｍｍであり、張出部１３７，１３８の厚さは、たとえば、１ｍｍである。張出部１３７，１３８の張出量は、たとえば、２ｍｍである。単位出射面１２０には、複数の溝部１２４が形成されており、溝部１２４のピッチは、１．０ｍｍであり、溝部１２４の深さは０．２〜０．３ｍｍである。図６は、図５に示すパターン配置面１２１の平面図である。この図６に示すように、パターン配置面１２１には、複数の光拡散部１２５が間隔をあけて形成されている。
【００４４】
光拡散部１２５は、たとえば、光散乱微粒子をポリマー中に分散させ、その後、ポリマーを印刷することで形成されている。光散乱粒子として蛍光体を用いてもよい。また、パターン配置面１２１に、プリズム等の微細な凹凸形状を形成することで、光拡散部１２５を形成するようにしてもよい。さらには、パターン配置面１２１に、ブラスト処理を施すことで、光拡散部１２５を形成するようにしてもよい。
【００４５】
この図６に示す例においては、光拡散部１２５は、円形形状に形成されており、水玉模様状に複数の光拡散部１２５が間隔をあけてパターン配置面１２１に形成されている。光拡散部１２５は、導光体１３１の幅方向中央部をとおり、導光体１３１の長手方向に延びる仮想軸線に対して、対称となるように配置されている。
【００４６】
複数の光拡散部１２５のうち、単位出射面１２０と対向する光拡散部１２５のドット径は、張出部１３７，１３８と対向する光拡散部１２５のドット径よりも大きくなるように形成されている。なお、１つの光拡散部１２５のドット径は、たとえば、１００μｍ〜５００μｍである。
【００４７】
図７は、図４に示すＶＩＩ−ＶＩＩ線における断面図であり、図８は、図７に示すパターン配置面１２１の平面図である。図９は、図４に示すＩＸ−ＩＸ線における断面図であり、図１０は、図９に示すパターン配置面１２１の平面図である。
【００４８】
図８および上記図６に示すように、光拡散部１２５のドット径は、単位入射面１３３側から導光体１３１の長手方向の中央部に向かうにしたがって、大きくなるように形成されている。そして、図８および図１０に示すように、導光体１３１の長手方向の中央部から単位入射面１３２側に向かうにしたがって、光拡散部１２５のドット径は小さくなるように形成されている。
【００４９】
単位入射面１３３および単位入射面１３２から入射した光源からの光は、単位入射面１３３および単位入射面１３２から離れるにつれて、拡散し、輝度が減衰する。そこで、単位入射面１３２および単位入射面１３３から離れるにつれて、光拡散部１２５の配置密度を高くすることで、単位出射面１２０から出射される光の輝度にばらつきが生じることが抑制されている。
【００５０】
図１において、制御部１６０は、液晶表示パネル１７０に映像信号を印加し、この印加のタイミングに同期させて、各照射ユニット１０３，１０４のＬＥＤを順次消灯させる。
【００５１】
これにより、液晶表示パネル１７０において、１フレーム内に発光期間と、非発光期間とを設けることができ、画像表示と、黒表示とを交互に行うことができる。
【００５２】
このように、本実施の形態に係る液晶表示装置１においても、疑似インパルス型の表示を行うことができ、動画のボヤケを解消を図ることができると共に、照射ユニット１０３，１０４を消灯することで、消費電力の低減を図ることができる。
【００５３】
図１１および図１２を用いて、両端に位置する導光体から出射される光量と、他の導光体から出射される光量との均一化を図るための構成について説明する。図１１は、図２に示すＸＩ−ＸＩ線における断面図である。この図１１および上記図２に示すように、導光体１３１の間には、固定部材１６３が複数配置されている。さらに、複数の導光体１３１のうち、最も、側面１４４側に位置する導光体１３１Ａの側面１３４には、導光体１３１Ａを固定する固定部材１７１が設けられている。
【００５４】
複数の導光体１３１のうち、最も側面１４５側に位置する導光体１３１Ｂの側面１３５には、固定部材１７２が設けられている。図１１において、シャーシ１０１は、底壁部１６１と、この底壁部１６１の周縁部に形成された周壁部１６２とを含む。
【００５５】
底壁部１６１には、隣り合う導光体１３１の間に設けられ、導光体１３１をシャーシ１０１に固定する固定部材１６３が設けられている。固定部材１６３は、底壁部１６１に形成された溝部１６６内に配置された板状の固定板１６４と、固定板１６４から突出するように形成された係止部１６５とを含む。
【００５６】
係止部１６５は、隣接する２つの導光体１３１のうち、一方の導光体１３１の張出部１３８と、他方の導光体１３１の張出部１３７とに係合する。固定板１６４は、図示しない係止部によって、シャーシ１０１に固定されている。
【００５７】
このような固定部材１６３が複数設けられることで、複数の導光体１３１がシャーシ１０１に固定されている。固定部材１７１は、固定板１７３と、固定板１７３から突出するように形成された係止部１７４とを含む。
【００５８】
係止部１７４は、導光体１３１Ａの張出部１３７と係合し、導光体１３１Ａをシャーシ１０１に固定する。固定板１７３も底壁部１６１に形成された溝部１７５内に収容されている。固定板１７３は、図示しない係止部によって底壁部１６１に固定されている。係止部１７４は、係止部１６５を半割れにしたような形状となっている。固定部材１７２も、固定部材１７１と同様に構成されている。
【００５９】
固定部材１７２も、固定板１７６と、この固定板１７６から突出するように形成された係止部１７７とを含む。固定板１７６は、底壁部１６１に形成された溝部１７８内に収容されており、図示しない係止部によって、底壁部１６１に固定されている。
【００６０】
係止部１７７は、導光体１３１Ｂの張出部１３８と係合しており、導光体１３１Ｂをシャーシ１０１に固定している。反射シート１１０は、導光体１３１と、シャーシ１０１との間に配置されており、各導光体１３１が固定部材１６３，１７１，１７２によって固定されることで、反射シート１１０は、導光体１３１とシャーシ１０１とによって挟み込まれている。
【００６１】
反射シート１１０には、固定部材１６３，１７１，１７２の係止部１６５，１７４，１７７が挿入される穴部が形成されている。なお、固定部材１６３，１７１，１７２は、白色のポリカーボネート (Polycarbonate)などの熱可塑性プラスチックから形成されている。図１１に示すように、反射シート１１０は、側面１４４側に位置する端辺部に形成された山部１８０と、側面１４５側の端辺部に形成された山部１８１と、導光板１３０の主表面１４１を覆う主面部１９０とを含む。
【００６２】
山部１８０および山部１８１は、導光板１３０の主表面１４１側から主表面１４０に向けて突出するように形成されている。山部１８０は、主面部１９０に接続され、側面１４４と隣り合うように、主面部１９０の端部から折り曲げられた反射部１８２と、反射部１８２から折り曲げられ、反射部１８２に接続された支持片１８３とを含む。
【００６３】
反射部１８２が側面１３４と隣り合うように設けられているため、導光体１３１Ａの
側面１３４から出射された光は、反射部１８２に入射する。側面１３４から出射された光は、様々なベクトルを有しており、反射部１８２に入射した光の少なくとも一部は、側面１４４に向けて反射される。
【００６４】
同様に、山部１８１は、主面部１９０に接続され、導光板１３０の側面１３５と隣り合うように主面部１９０から折り曲げられた反射部１８４と、反射部１８４から折り曲げられ、反射部１８４に接続された支持片１８５とを含む。反射部１８４は、導光体１３１Ｂの側面１３５から出射される光の少なくとも一部を側面１３５に戻すように反射する。
【００６５】
図２において、複数の導光体１３１のうち、導光体１３１Ａおよび導光体１３１Ｂの間に位置する導光体１３１には、ＬＥＤ１０５，１０７からの光と、当該導光体１３１の両側に位置する２つの導光体１３１からの光が入り込む。
【００６６】
そして、これらの導光体１３１は、入り込んだ光を単位出射面１２０から、積層シート群１５０や液晶表示パネル１７０に向けて出射する。
【００６７】
導光体１３１Ａには、ＬＥＤ１０５，１０７からの光と、導光体１３１Ａと隣り合う１つの導光体１３１からの光と、図１１に示す反射部１８２からの反射光とが入り込む。そして、導光体１３１Ａは、入り込んだ光を単位出射面１２０から積層シート群１５０や液晶表示パネル１７０に向けて出射する。
【００６８】
導光体１３１Ｂにも、ＬＥＤ１０５，１０７からの光と、導光体１３１Ｂと隣り合う１つの導光体１３１からの光と、図１１に示す反射部１８４からの反射光とが入り込む。そして、導光体１３１Ｂも、これらの光を単位出射面１２０から積層シート群１５０などに向けて出射する。
【００６９】
このように、反射部１８２および反射部１８４を設けることで、導光体１３１Ａ，１３１Ｂに入り込む光量と、他の導光体１３１に入り込む光量との差が低減されている。この結果、導光体１３１Ａ，１３１Ｂの単位出射面１２０から出射される光量と、その他の導光体１３１の単位出射面１２０から出射される光量とに差が生じることが抑制されている。
【００７０】
これにより、導光板１３０の主表面１４０から出射される光に輝度ムラが生じることを抑制することができる。これに伴い、液晶表示装置１の画像にも輝度ムラが生じることを抑制することができ、観察者が良好に画像や映像を観察することができる。
【００７１】
図１２は、山部１８０およびその周囲に位置する構成を示す断面図である。この図１２において、主面部１９０に対する反射部１８２の折返し角度ａは、たとえば、４５度以上９０度以下となるように設定されている。
【００７２】
４５度よりも小さくなると、反射部１８２が側面１３４から出射される光を、導光体１３１Ａに戻す光量が少なくなり、導光体１３１Ａが単位出射面１２０から出射する光量が他の導光体１３１が単位出射面１２０から出射する光量よりも少なくなるためである。
【００７３】
その一方で、折返し角度ａが９０度よりも大きくなると、反射部１８２と、側面１３４との間の間隔を広くとる必要が生じ、デッドスペースが大きくなってしまうためである。
【００７４】
支持片１８３の端辺部は、制御部１６０の周壁部１６２と、制御部１６０の底壁部１６１とによって形成された角部に配置され、制御部１６０によって支持されている。主面部１９０は、導光体１３１と底壁部１６１とによって挟みこまれている。
【００７５】
すなわち、支持片１８３が制御部１６０によって支持され、主面部１９０が固定されているため、支持片１８３および反射部１８２が変位して、山部１８０の高さが低くなるように山部１８０が変形することが抑制されている。山部１８０の変形を抑制することで、折返し角度ａが経時的に変動することを抑制することができ、反射部１８２が導光体１３１Ａに戻す光量が少なくなることを抑制することができる。
【００７６】
なお、図１１に示す山部１８１の支持片１８５の端辺部も、同様に、周壁部１６２と底壁部１６１とによって形成された角部に位置し、制御部１６０によって支持されている。
【００７７】
図１３は、山部１８０および山部１８１を折り曲げる前の状態における反射シート１１０を示す平面図である。この図１３に示すように、反射シート１１０には、ミシン目１９１〜１９４が形成されている。
【００７８】
ミシン目１９１に沿って、反射シート１１０の一部を折り返すことで、支持片１８３が形成され、ミシン目１９２を折り返すことで、反射部１８２が形成される。同様に、ミシン目１９４に沿って反射シート１１０を折り返すことで支持片１８５が形成され、ミシン目１９３に沿って反射シート１１０を折り返すことで、反射部１８４が形成される。
【００７９】
（実施の形態２）
図１４および図１５を用いて、本実施の形態２に係る液晶表示装置１について説明する。なお、図１４および図１５に示す構成のうち、上記図１から図１３に示す構成と同一または相当する構成については、同一の符号を付してその説明を省略する場合がある。
【００８０】
図１４は、液晶表示装置１に搭載されるバックライト１０２を示す断面図である。この図１４に示すように、本実施の形態２に係るバックライト１０２も、複数の導光体１３１を有する導光板１３０と、導光板１３０の主表面１４１側に配置された反射シート１１０と、導光板１３０の主表面１４０に配置された積層シート群１５０とを含む。
【００８１】
バックライト１０２は、導光板１３０の側面１４４と隣り合うように設けられ反射部１８２と、導光板１３０の側面１４５と隣り合うように設けられた反射部１８４とを含む。
【００８２】
これにより、導光体１３１Ａの側面１３４から出射された光の少なくとも一部は反射部１８２によって導光体１３１Ａに戻される。同様に、導光体１３１Ｂの側面１３５から外部に向けて出射された光の少なくとも一部は、導光体１３１Ｂに戻される。
【００８３】
これにより、本実施の形態２に係るバックライト１０２においても、上記実施の形態１に係るバックライト１０２と同様に、導光体１３１Ａ，１３１Ｂの単位出射面１２０から出射される光量と、他の導光体１３１の単位出射面１２０から出射される光量に差が生じることを抑制することができ、輝度ムラの発生を抑制することできる。
【００８４】
反射部１８２の端辺部は、周壁部１６２によって支持されており、反射部１８４の端辺部も、周壁部１６２によって支持されている。これにより、経時的に反射部１８２および反射部１８４の折返し角度が変動することが抑制されている。
【００８５】
図１５は、本実施の形態２に係るバックライト１０２の変形例を示す断面図である。この図１５に示す例では、反射部１８２および反射部１８２は、湾曲面状に形成されている。周壁部１６２の内側面には、支持突起１９５および支持突起１９６が形成されている。
【００８６】
反射部１８２の端辺部は、支持突起１９５によって支持されており、反射部１８４の端辺部は、支持突起１９６によって支持されており、反射部１８２，１８４の姿勢が保持されている。
【００８７】
（実施の形態３）
図１６から図１８を用いて、本実施の形態３に係るバックライト１０２について説明する。なお、図１６から図１８に示す構成のうち、上記図１から図１５に示す構成と同一または相当する構成については、同一の符号を付してその説明を省略する場合がある。
【００８８】
図１６は、本実施の形態３に係るバックライト１０２の断面図である。本実施の形態３に係るバックライト１０２も、複数の導光体１３１を含む導光板１３０と、導光板１３０の主表面１４０側に配置された積層シート群１５０と、導光板１３０の主表面１４１側に設けられた反射シート１１０とを含む。
【００８９】
反射シート１１０の側面１４４側の端辺部には、反射部１８２が形成され、反射シート１１０の側面１４５側の端辺部には、反射部１８４が形成されている。
【００９０】
本実施の形態３においては、主面部１９０に対する反射部１８２の折返し角度は、略
９０度とされ、主面部１９０に対する反射部１８４の折返し角度も略９０度とされている。
【００９１】
このため、導光体１３１Ａの側面１３４から外部に出射される光の大部分が反射部１８２によって反射され、導光体１３１Ａに戻される。同様に、反射部１８４によって、導光体１３１Ｂの側面１３５から外部に出射される光の大部分が導光体１３１Ｂに戻される。これにより、導光体１３１Ａ，１３１Ｂの単位出射面１２０から出射される光量と、他の導光体１３１の単位出射面１２０から出射される光量に差が生じることを抑制することができる。
【００９２】
ここで、図１７において、反射部１８２と、導光体１３１Ａの張出部１３７との間の距離を距離Ｌ１とする。
【００９３】
図１８において、間隔をあけて配列する張出部１３８および張出部１３７の間の距離を距離Ｌ２とし、間隔あけて配列する厚肉部間の距離を距離Ｌ３とする。
【００９４】
距離Ｌ１は、距離Ｌ３の半分の距離Ｌ５より小さくなるように設定されている。これにより、一方の導光体１３１から他方の導光体１３１に光が入り込むときに光が進む経路長と、導光体１３１Ａの側面１３４から出射した光が反射部１８２で反射し、導光体１３１Ａに戻るまでの間に光が進む経路長とを近似させることができる。
【００９５】
さらに、距離Ｌ１が距離Ｌ５よりも長くなると、側面１３４から外部に出射され、反射部１８２によって導光体１３１Ａに戻る光の経路長が長くなり、戻ってくる光が減衰してしまう。
【００９６】
さらに、好ましくは、距離Ｌ１を距離Ｌ２の半分の距離Ｌ４よりも短くする。これにより、距離Ｌ１をこのような範囲に設定することで、側面１３４から外部に出射され、反射部１８２によって導光体１３１Ａに戻される光が減衰することを抑制することができる。
【００９７】
なお、距離Ｌ１は、たとえば、３ｍｍ以下とする。好ましくは、１ｍｍ程度とする。なお、製造時の公差は０．５ｍｍである。
【００９８】
図１９は、バックライト１０２の変形例を示す断面図である。この図１９に示す例においては、反射部１８２を固定部材１７１で張出部１３７と共に挟みこみ、反射部１８４を固定部材１７２で張出部１３８と共に挟み込んでいる。この図１９に示す例においては、反射部１８２，１８４は、側面１３４，１３５に沿って延びており、反射部１８２，１８４が側面１３４，１３５から出射される光の殆どを戻すことができる。さらに、反射部１８２，１８４が固定されており、反射部１８２，１８４の姿勢が経時的に変化することを抑制することができる。
【００９９】
なお、上記の実施の形態においては、導光板１３０が複数の導光体１３１で形成された例に本願発明を適用した例について説明したが、導光板１３０が導光体１３１に分割された例に限られない。
【０１００】
たとえば、導光板１３０が一体のものであっても、導光板１３０の側面１４４と隣り合う位置に反射部１８２を設け、側面１４５と隣り合う位置に反射部１８４を設けるようにしてもよい。このように形成されたバックライトによれば、側面１４４，１４５側の端部から積層シート群１５０および液晶表示パネル１７０に向けて出射される光の光量と、導光板１３０の中央部から出射される光量とに差が生じることを抑制することができる。
【０１０１】
さらに、上記実施の形態においては、エッジライト式のバックライトに本発明を適用した例について説明したが、直下型バックライトにも適用することができる。さらに、光源モジュールの代表例として、バックライトに本願発明を適用した例について説明したが、他の光源モジュールにも適用することができる。たとえば、照明器具や投光器などにも適用することができる。さらに、電子機器として、液晶表示装置に適用した例について説明したが、液晶表示装置の他に、プロジェクタや広告塔などの他の電子機器に適用することができる。
【０１０２】
以上のように本発明の実施の形態について説明を行ったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値などは、例示であり、上記数値および範囲にかぎられない。
【産業上の利用可能性】
【０１０３】
本発明は、光源モジュールおよび電子機器に適用することができる。
【符号の説明】
【０１０４】
１  液晶表示装置、１００  ベゼル、１０１  シャーシ、１０２  バックライト、１０３，１０４  照射ユニット、１０６，１０８  回路基板、１１０  反射シート、１２０  単位出射面、１２１  パターン配置面、１２４，１６６，１７５，１７８  溝部、１２５  光拡散部、１３０  導光板、１３１，１３１Ａ，１３１Ｂ  導光体、１３２，１３３  単位入射面、１３４，１３５，１４４，１４５  側面、１３６  主部、１３７，１３８  張出部、１４０，１４１  主表面、１４２，１４３  入射面、１５０  積層シート群、１６０  制御部、１６１  底壁部、１６２  周壁部、１６３，１７１，１７２  固定部材、１６４，１７３，１７６  固定板、１６５，１６５，１７４，１７７  係止部、１７０  液晶表示パネル、１８０，１８１  山部、１８２，１８４  反射部、１８３，１８５  支持片、１９０  主面部、１９１，１９２，１９３，１９４  ミシン目。
【図１】
2012054041.tif 000003
【図２】
2012054041.tif 000004
【図３】
2012054041.tif 000005
【図４】
2012054041.tif 000006
【図５】
2012054041.tif 000007
【図６】
2012054041.tif 000008
【図７】
2012054041.tif 000009
【図８】
2012054041.tif 000010
【図９】
2012054041.tif 000011
【図１０】
2012054041.tif 000012
【図１１】
2012054041.tif 000013
【図１２】
2012054041.tif 000014
【図１３】
2012054041.tif 000015
【図１４】
2012054041.tif 000016
【図１５】
2012054041.tif 000017
【図１６】
2012054041.tif 000018
【図１７】
2012054041.tif 000019
【図１８】
2012054041.tif 000020
【図１９】
2012054041.tif 000021